(57)【要約】【課題】ソーラーパネルの営業担当者などが効率的かつ効果的に営業行為を行えるようにする。【解決手段】ソーラーパネル設置の見積もりを行う対象になっている住宅の位置に関する位置情報で特定される住宅の屋根面航空写真情報の検索を行う屋根面航空写真情報取得手段と、日照面積を計算する屋根面を指定する面積計算屋根面指定情報及び、当該屋根面の勾配に関する情報を含む屋根面面積算出用補足情報に基づき、屋根面の日照屋根面積を算出する日照屋根面積計算手段と、削減電気代計算用補足情報としての、屋根面が向かっている方向に関する情報、前記住宅の概算電気代、ソーラーパネル設置費用算出用補足情報としての、設置予定のソーラーパネルの製品タイプに関する情報に基づき削減電気代及び、設置費用を算出する削減電気代計算・ソーラーパネル設置費用算出手段とを備えているソーラーパネル販売支援システム。【選択図】図１
2010092223.tif 000002
【特許請求の範囲】
【請求項１】
ソーラーパネル設置の見積もりを行う対象になっている住宅の位置に関する情報である位置情報を利用し、当該位置情報で特定される住宅の屋根面航空写真情報の検索を行う屋根面航空写真情報取得手段と、
前記屋根面航空写真情報に表わされている住宅における日照面積を計算する屋根面を指定する面積計算屋根面指定情報及び、当該屋根面の勾配に関する情報を含む屋根面面積算出用補足情報に基づき、前記ソーラーパネル設置の見積もりを行う対象になっている住宅の屋根面の日照屋根面積を算出する日照屋根面積計算手段と、
削減電気代計算用補足情報としての、屋根面が向かっている方向に関する情報、前記ソーラーパネル設置の見積もりを行う対象になっている住宅の概算電気代、ソーラーパネル設置費用算出用補足情報としての、設置予定のソーラーパネルの製品タイプに関する情報関する情報に基づき、削減電気代及び、ソーラーパネル設置費用を算出する削減電気代計算・ソーラーパネル設置費用算出手段と
を備えていることを特徴とするソーラーパネル販売支援システム。
【請求項２】
前記屋根面航空写真情報取得手段は、更に、検索して取得した前記位置情報で特定される住宅の屋根面航空写真情報において、当該屋根面航空写真情報を取得し、画面に表示する携帯端末の画面に置ける中央に、前記屋根面航空写真情報の中心が位置するように設定する処理を行うことを特徴とする請求項１記載のソーラーパネル販売支援システム。
【請求項３】
前記屋根面航空写真情報取得手段は、更に、前記携帯端末から取得した当該携帯端末の画面に表示されている前記屋根面航空写真情報を当該携帯端末の画面において移動させる方向に関する情報である出力屋根面位置調整情報に基づき、当該携帯端末に対して送信する前記屋根面航空写真情報の最新の情報を、指定された方向にシフトさせる処理を行うことを特徴とする請求項２記載のソーラーパネル販売支援システム。
【請求項４】
前記削減電気代計算・ソーラーパネル設置費用算出手段は、ソーラーパネル設置工法を、更に、ソーラーパネル設置費用算出用補足情報として利用することを特徴とする請求項１乃至３のいずれか一項記載のソーラーパネル販売支援システム。
【発明の詳細な説明】
【技術分野】
【０００１】
この発明はソーラーパネル販売支援システムに関し、特に、個人住宅などの建物の屋根、屋上などにソーラーパネルの設置を提案する者が、当該住宅にまで出向いて、当該住宅においてソーラーパネルの設置を提案する際などに利用されるコンピュータとネットワークを利用したソーラーパネル販売支援システムに関する。
【背景技術】
【０００２】
環境問題が重要な社会的課題の一つになる中、住宅用のソーラーパネルはこの問題を緩和する一つの手段として注目を集めている。ところが、現状においては住宅竣工時にソーラーパネルが設置されているケースが非常に少ないため、既に建築済みの住宅に対してリフォーム営業等により、ソーラーパネルが設置されるケースがしばらくの間主流となることが予想される。
【０００３】
このソーラーパネルは基本的に屋根に設置するものであるため、商談開始の時点においてコストに関する情報を顧客に提示しづらいという問題がある。
【０００４】
これは、商談に必要な設置のための概算コストや概算電気代削減額を算出するためには、効果的日照を受けられる屋根面の面積等を把握する必要などがあるからである。
【０００５】
例えば、ソーラーパネルの概算設置費用や概算電気代削減額を算出するためには、効果的日照を受けられる屋根面の面積を把握することが必須条件であり、このため従来では住宅建築時の建築図面を参照するか、住宅所有者の許可を得て屋根面の調査を行うかのいずれかの手段を用いる必要があった。
【０００６】
住宅建築時の建築図面を保有するのは、当該住宅の施工業者か住宅を保有する施主に限られるため、当該住宅の施工業者またはその業者に属するリフォーム会社を除いては、具体的な設置費用や電気代削減額を算出するためには住宅所有者の許可を得て屋根面の調査を行うか、施主から建築図面の提供を受ける必要があった。
【０００７】
このことは、当該住宅の施工業者またはその業者に属するリフォーム会社以外の販    売会社にとって、具体的費用面の商談を行うにあたって非常に大きな障害となり、その結果、効率的かつ効果的な営業活動ができないという問題があった。
【０００８】
そして、このような問題に対する効果的な解決手段は現状では十分に提案されていない。
【特許文献１】特開２００３−１６２５５２
【発明の開示】
【発明が解決しようとする課題】
【０００９】
本発明は、前述した問題点の解決を目指すものであり、ソーラーパネルの営業担当者などが、効率的かつ効果的に営業行為を行えるようにし、これによって、ソーラーパネル販売会社の売上増と営業コスト削減が実現されることを目的とするものである。
【課題を解決するための手段】
【００１０】
本発明は、一般に普及している航空写真地図を利用することによって、前述した課題の解決を図ったものである。
【００１１】
すなわち、前記目的を達成する請求項１記載の発明は、
ソーラーパネル設置の見積もりを行う対象になっている住宅の位置に関する情報である位置情報を利用し、当該位置情報で特定される住宅の屋根面航空写真情報の検索を行う屋根面航空写真情報取得手段と、
前記屋根面航空写真情報に表わされている住宅における日照面積を計算する屋根面を指定する面積計算屋根面指定情報及び、当該屋根面の勾配に関する情報を含む屋根面面積算出用補足情報に基づき、前記ソーラーパネル設置の見積もりを行う対象になっている住宅の屋根面の日照屋根面積を算出する日照屋根面積計算手段と、
削減電気代計算用補足情報としての、屋根面が向かっている方向に関する情報、前記ソーラーパネル設置の見積もりを行う対象になっている住宅の概算電気代、ソーラーパネル設置費用算出用補足情報としての、設置予定のソーラーパネルの製品タイプに関する情報関する情報に基づき、削減電気代及び、ソーラーパネル設置費用を算出する削減電気代計算・ソーラーパネル設置費用算出手段と
を備えていることを特徴とするソーラーパネル販売支援システムである。
【００１２】
請求項２記載の発明は、
前記屋根面航空写真情報取得手段は、更に、検索して取得した前記位置情報で特定される住宅の屋根面航空写真情報において、当該屋根面航空写真情報を取得し、画面に表示する携帯端末の画面に置ける中央に、前記屋根面航空写真情報の中心が位置するように設定する処理を行うことを特徴とする請求項１記載のソーラーパネル販売支援システム。
【００１３】
請求項３記載の発明は、
前記屋根面航空写真情報取得手段は、更に、前記携帯端末から取得した当該携帯端末の画面に表示されている前記屋根面航空写真情報を当該携帯端末の画面において移動させる方向に関する情報である出力屋根面位置調整情報に基づき、当該携帯端末に対して送信する前記屋根面航空写真情報の最新の情報を、指定された方向にシフトさせる処理を行うことを特徴とする請求項２記載のソーラーパネル販売支援システム。
【００１４】
請求項４記載の発明は、
前記削減電気代計算・ソーラーパネル設置費用算出手段は、ソーラーパネル設置工法を、更に、ソーラーパネル設置費用算出用補足情報として利用することを特徴とする請求項１乃至３のいずれか一項記載のソーラーパネル販売支援システムである。
【発明の効果】
【００１５】
本発明のソーラーパネル販売支援システムによれば、ソーラーパネルの営業担当者などは、簡単な入力作業によって自分が営業をしようとする住宅の屋根面の面積を建築図面の入手や屋根面の調査をすることなく算出することが可能となる。
【００１６】
また、営業担当者などは、簡単な入力作業によって、自分が営業をしようとする住宅に対するソーラーパネル概算設置費用および概算電気代削減額を、最新の自社の商品（ソーラーパネル）に対するパラメータや、最新の地域毎の平均日照量応じた形で算出することが可能となり、その算出結果を容易に営業記録として残すことが可能となった。
【００１７】
また、対象となっている住宅にまで出向いて、当該住宅においてソーラーパネルの設置を提案する営業担当者などが所持している携帯電話などの携帯端末を用いて中央のサーバ装置と交信するだけで前述した住宅の屋根面の面積、ソーラーパネル概算設置費用および概算電気代削減額を計算できるようにすることで、営業担当者は営業活動の現場において、短時間でこれらの情報を取得することが可能となり、極めて効率的かつ効果的な営業活動が期待できるようになった。
【００１８】
これによって、ソーラーパネル販売会社の売上増と営業コスト削減を実現することができる。
【発明を実施するための最良の形態】
【００１９】
本発明のソーラーパネル販売支援システムは、インターネット４などのネットワークに接続可能に配備されるコンピュータからなるサーバ装置２によって構成される。
【００２０】
本発明のソーラーパネル販売支援システムを利用した、個人住宅などへのソーラーパネル設置・販売活動は、前記のサーバ装置２が、インターネット４を介して、インターネット４などのネットワークに接続可能に配備されていて、住所情報に対応する航空写真地図に関する情報を提供するコンピュータからなる航空写真地図提供サイト３、本発明のソーラーパネル販売支援システムを利用して個人住宅などへのソーラーパネル設置・販売を営業する者などが所持している携帯電話や、ＰＤＡ、パーソナルコンピュータなどからなる携帯端末１と接続されることによって実行される。
【００２１】
コンピュータからなるサーバ装置２は、屋根面航空写真情報取得手段、面積計算屋根面指定情報取得手段・屋根面面積算出用補足情報取得手段２−８、日照屋根面積計算手段２−１、日照屋根面積計算データベース２−４、削減電気代計算手段・ソーラーパネル設置費用算出手段２−２、削減電気代計算用データベース２−５、ソーラーパネル設置費用算出用データベース２−６、見積もりデータベース２−７を備えている。
【００２２】
屋根面航空写真情報取得手段は、携帯端末１からインターネット４を介して送信されてきた見積もりを行う対象になっている住宅の位置に関する情報（位置情報）を利用し、インターネット４を介して航空写真地図提供サイト３へアクセスし、前記位置情報で特定される位置の屋根面航空写真情報の検索を行うコンピュータの処理動作部である。
【００２３】
この屋根面航空写真情報取得手段（不図示）は、インターネット４を介して航空写真地図提供サイト３から前記位置情報で特定される位置の屋根面航空写真情報（例えば、携帯端末１が備えている液晶画面の９倍分の画像情報になる屋根面航空写真）を取得し、サーバ装置２の記憶手段に取り込む処理動作を行なう。
【００２４】
また、屋根面航空写真情報取得手段（不図示）は、前記で記憶した前記位置情報で特定される位置の屋根面航空写真情報（屋根面航空写真）において、初期送信ポイントが、表示される画面（例えば、携帯端末１が備えている液晶画面）における画像の中央になるように設定する処理と、送信ポイントを中心とした画像情報をインターネット４を介して携帯端末１へ送信する処理動作を行なう。
【００２５】
更に、屋根面航空写真情報取得手段（不図示）は、インターネット４を介して携帯端末１から取得した出力屋根面位置調整情報（携帯端末１が備えている液晶画面に表示されている画面を移動させる方向に関する情報）に基づき、最新の送信ポイントを指定された方向にシフトさせる処理動作と、再度、送信ポイントを中心とした画像情報をインターネット４を介して携帯端末１へ送信する処理を行う。
【００２６】
コンピュータのインターフェース部から構成される、面積計算屋根面指定情報取得手段・屋根面面積算出用補足情報取得手段２−８は、インターネット４を介して携帯端末１から送信されてきた、日照面積を計算する屋根面を指定する面積計算屋根面指定情報及び、屋根面面積算出用補足情報を取得する。
【００２７】
日照屋根面積計算手段２−１は、コンピュータの処理動作部からなり、面積計算屋根面指定情報取得手段・屋根面面積算出用補足情報取得手段２−８で取得した日照面積を計算する屋根面を指定する面積計算屋根面指定情報及び、屋根面面積算出用補足情報に基づき、日照屋根面積計算データベース２−４に格納されている屋根面航空写真情報にて画面に平面的に表示される屋根面の面積と当該屋根面の勾配に応じた日照屋根面積計算データなどを参照し、対象となっている屋根面の日照屋根面積を算出する。
【００２８】
日照屋根面積計算データベース２−４は、例えば、ハードディスクドライブなどからなり、前述した日照屋根面積計算手段２−１の計算処理に必要な、屋根面航空写真情報にて画面に平面的に表示される屋根面の面積と当該屋根面の勾配に応じた日照屋根面積計算データなどを格納しているものである。
【００２９】
コンピュータの処理動作部からなる削減電気代計算手段・ソーラーパネル設置費用算出手段２−２は、携帯端末１からインターネット４を介して取得した、削減電気代計算用補足情報としての、屋根面が向かっている方向に関する情報、対象となっている住宅の概算電気代、ソーラーパネル設置費用算出用補足情報としての、設置予定のソーラーパネルの製品タイプに関する情報、設置予定のソーラーパネルを設置する工法に関する情報に基づき、削減電気代計算用データベース２−５、ソーラーパネル設置費用算出用データベース２−６に格納されている情報を参照して、削減電気代及び、ソーラーパネル設置費用を算出する。
【００３０】
削減電気代計算用データベース２−５、ソーラーパネル設置費用算出用データベース２−６は、それぞれ、例えば、ハードディスクドライブなどからなり、削減電気代計算手段・ソーラーパネル設置費用算出手段２−２が行う前述した計算処理に必要な、住宅の位置情報に対応する経度・緯度情報と、これに対応する当該経度・緯度の位置における各方角（東西南北）ごとの日照に関する情報、すなわち、日照量データや、ソーラーパネルの製品タイプの価格表に関する情報などを格納している。
【００３１】
見積もりデータベース２−７は、例えば、ハードディスクドライブなどからなり、見積もりの対象になっている住宅に関する情報（位置情報（住所））、当該住宅の所有者に関する情報などに関連付けて、前記の日照屋根面積計算手段２−１が算出した日照屋根面積や、前記の減電気代計算手段・ソーラーパネル設置費用算出手段２−２が算出した、削減電気代及び、ソーラーパネル設置費用などを記憶、格納している。
【００３２】
一方、本発明のソーラーパネル販売支援システムを利用して個人住宅などへのソーラーパネル設置・販売を営業する者などが所持している携帯電話や、ＰＤＡ、パーソナルコンピュータなどからなる携帯端末１は、住宅位置情報入力手段１−６、面積計算屋根面指定情報入力手段・面積計算屋根面指定情報入力手段１−７、屋根面面積算出用補足情報入力手段１−８、屋根面積算出処理確定情報入力手段・削減電気代計算用補足情報入力手段・ソーラーパネル設置費用算出用補足情報入力手段１−９、最終確認入力手段１−１０、住宅位置情報出力手段・屋根面航空写真情報取得手段・出力屋根面位置調整情報出力手段１−１、面積計算屋根面指定情報出力手段・屋根面面積算出用補足情報出力手段１−２、屋根面積情報取得手段・ソーラーパネル設置費用概算算出用補足情報出力手段１−３、削減電気代計算用補足情報出力手段・ソーラーパネル設置費用算出用補足情報出力手段・工事費用・電気代削減額情報取得手段１−４、見積もりデータ出力手段１−５を備えている。
【００３３】
住宅位置情報入力手段１−６、面積計算屋根面指定情報入力手段・面積計算屋根面指定情報入力手段１−７、屋根面面積算出用補足情報入力手段１−８、屋根面積算出処理確定情報入力手段・削減電気代計算用補足情報入力手段・ソーラーパネル設置費用算出用補足情報入力手段１−９、最終確認入力手段１−１０は、携帯端末１の画面に表示されているカーソルなどの指示手段や、携帯端末１が備えている文字・数字などを入力するキーボードや入力ボタンなどからなる。
【００３４】
住宅位置情報出力手段・屋根面航空写真情報取得手段・出力屋根面位置調整情報出力手段１−１、面積計算屋根面指定情報出力手段・屋根面面積算出用補足情報出力手段１−２、屋根面積情報取得手段・ソーラーパネル設置費用概算算出用補足情報出力手段１−３、削減電気代計算用補足情報出力手段・ソーラーパネル設置費用算出用補足情報出力手段・工事費用・電気代削減額情報取得手段１−４、見積もりデータ出力手段１−５は、携帯端末１のインターフェース部である。
【００３５】
以下、添付図面を参照して、本発明のソーラーパネル販売支援システムを利用した、個人住宅などへのソーラーパネル設置・販売活動の実施形態に関して、その一例を説明する。
【００３６】
携帯端末１の画面に表示されているカーソルなどの指示手段や、文字・数字などを入力するキーボードや入力ボタンなどからなる住宅位置情報入力手段１−６により、図２に例示されている携帯端末１の住宅位置情報入力画面の状態で、対象となっている住宅の位置情報（例えば、東京都新宿区新宿１００丁目１００番１００号といった住所情報）を入力する（Ｓ７０１）。
【００３７】
入力された位置情報は、携帯端末１の住宅位置情報出力手段・屋根面航空写真情報取得手段・出力屋根面位置調整情報出力手段１−１からインターネット４を介してサーバ装置２へ送信される。
【００３８】
サーバ装置２の屋根面航空写真情報取得手段（不図示）は、取得した住宅の位置情報を利用し、インターネット４を介して航空写真地図提供サイト３へアクセスし、前記位置情報で特定される位置の屋根面航空写真情報の検索を行う（Ｓ７０２）。そして、サーバ装置２の屋根面航空写真情報取得手段（不図示）は、インターネット４を介して航空写真地図提供サイト３から前記位置情報で特定される位置の屋根面航空写真情報（携帯端末１が備えている画面（例えば、液晶画面）の９倍分の画像情報に該当する屋根面航空写真）を取得し、サーバ装置２の記憶手段に取り込む（Ｓ７０３）。
【００３９】
ついで、サーバ装置２の屋根面航空写真情報取得手段（不図示）は、前記で記憶した前記位置情報で特定される位置の屋根面航空写真情報（携帯端末１が備えている画面（例えば、液晶画面）の９倍分の画像情報に該当する屋根面航空写真）において、初期送信ポイントが、表示される画面における画像の中央になるように設定し（Ｓ７０４）、送信ポイントを中心とした画像情報をインターネット４を介して携帯端末１へ送信する（Ｓ７０５）。
【００４０】
前記の画像情報を、住宅位置情報出力手段・屋根面航空写真情報取得手段・出力屋根面位置調整情報出力手段１−１で取得した携帯端末１では、その画像情報を、図３に例示されるように、携帯端末１の画面（例えば、液晶画面）に表示する（Ｓ７０６）。
【００４１】
携帯端末１を操作している者は、対象となる住宅の屋根面が画面上に表示されているか否かを確認する（Ｓ７０７）。
【００４２】
対象となる住宅の屋根面が画面上に適切に表示されていない場合には、携帯端末１の画面に表示されているカーソルなどの指示手段などからなる面積計算屋根面指定情報入力手段・面積計算屋根面指定情報入力１−７により、画面を移動させる方向を入力する（Ｓ７０８）。例えば、図３に数字１、２、３、４、６、７、８、９で示されている矢印方向に画面を移動させるように出力屋根面位置調整情報を入力する。図７のフローチャートでは、画像を並行移動させる方向を入力している。
【００４３】
こうして、面積計算屋根面指定情報入力手段・面積計算屋根面指定情報入力１−７により入力された、画面を移動させる方向に関する情報（出力屋根面位置調整情報）は、携帯端末１の住宅位置情報出力手段・屋根面航空写真情報取得手段・出力屋根面位置調整情報出力手段１−１からインターネット４を介してサーバ装置２へ送信される。
【００４４】
サーバ装置２の屋根面航空写真情報取得手段（不図示）は、インターネット４を介してこの情報（出力屋根面位置調整情報）を取得し、最新の送信ポイントを指定方向にシフトさせ（Ｓ７０９）、再度、送信ポイントを中心とした画像情報をインターネット４を介して携帯端末１へ送信する（Ｓ７０５）。
【００４５】
この情報を取得した携帯端末１では、携帯端末１の画面に表示されているカーソルなどの指示手段などからなる面積計算屋根面指定情報入力手段・面積計算屋根面指定情報入力１−７から、日照面積を計算する屋根面を指定する面積計算屋根面指定情報を入力し、面積を求める部分をポインティングする（Ｓ７１０）。例えば、図４図示の状態では、屋根面のＡ面は日照面積が既に計算されており、次に、Ｂ面が日照面積を計算する屋根面として指定されている（ポインティングされている）ところである。
【００４６】
次いで、携帯端末１の画面に表示されているカーソルなどの指示手段や、文字・数字などを入力するキーボードや入力ボタンなどからなる屋根面面積算出用補足情報入力手段１−８を介して、屋根の日照面積を計算するために必要な屋根面面積算出用補足情報を入力する（Ｓ７１１）。例えば、屋根の勾配、などに関する情報を入力する。
【００４７】
前記のようにして入力された、日照面積を計算する屋根面を指定する面積計算屋根面指定情報及び、屋根面面積算出用補足情報は、携帯端末１の面積計算屋根面指定情報出力手段・屋根面面積算出用補足情報出力手段１−２からインターネット４を介してサーバ装置２へ送られる。
【００４８】
サーバ装置２では、面積計算屋根面指定情報取得手段・屋根面面積算出用補足情報取得手段２−８でこれらの情報を取得し、日照屋根面積計算手段２−１が、日照屋根面積計算データベース２−４に格納されている屋根面航空写真情報にて画面に平面的に表示される屋根面の面積と当該屋根面の勾配に応じた日照屋根面積計算データなどを参照し、対象となっている屋根面（例えば、図４におけるＢ面）の日照屋根面積を算出する（Ｓ７１２）。
【００４９】
こうして算出された日照屋根面積は、インターネット４を介して携帯端末１に送信され、携帯端末１ではこれを屋根面積情報取得手段・ソーラーパネル設置費用概算算出用補足情報出力手段１−３で取得する。
【００５０】
次に、携帯端末１を操作している者は、屋根面積の算出を終了するか、あるいは、他の屋根面の他の面積計算も行うかを判定し（Ｓ７１３）、携帯端末１の画面に表示されているカーソルなどの指示手段や、文字・数字などを入力するキーボードや入力ボタンなどからなる屋根面積算出処理確定情報入力手段・削減電気代計算用補足情報入力手段・ソーラーパネル設置費用算出用補足情報入力手段１−９を介して、指示を入力する。
【００５１】
面積算出処理を他の屋根面について行う場合には、前述したＳ７１０のステップに戻って算出処理が続行される。
【００５２】
一方、算出処置終了の場合には、前記の屋根面積算出処理確定情報をインターネット４を介したサーバ装置２の日照屋根面積計算手段２−１が算出面積の総和を計算し（Ｓ７１４）、この情報を携帯端末１へ送信する。
【００５３】
屋根面積情報取得手段・ソーラーパネル設置費用概算算出用補足情報出力手段１−３でこの情報を取得した携帯端末１の画面には、例えば、図５図示のように算出された屋根面（図４における、Ａ面とＢ面）の面積及び、この総和が表示され、屋根面の複数面が合わせて表示される。
【００５４】
次に、携帯端末１を操作している者は、携帯端末１の画面に表示されているカーソルなどの指示手段や、文字・数字などを入力するキーボードや入力ボタンなどからなる屋根面積算出処理確定情報入力手段・削減電気代計算用補足情報入力手段・ソーラーパネル設置費用算出用補足情報入力手段１−９を介して、削減電気代計算用補足情報として屋根面が向かっている方向に関する情報を入力する（Ｓ７１５）。図４図示の実施形態では、Ａ面が南西向きで、Ｂ面が南東向きであったので、プルダウンメニューでこれを選択入力している。
【００５５】
次に、携帯端末１の画面に表示されているカーソルなどの指示手段や、文字・数字などを入力するキーボードや入力ボタンなどからなる屋根面積算出処理確定情報入力手段・削減電気代計算用補足情報入力手段・ソーラーパネル設置費用算出用補足情報入力手段１−９を介して、ソーラーパネル設置費用算出用補足情報として、設置予定のソーラーパネルの製品タイプに関する情報を入力し（Ｓ８０１）、必要があれば、引き続き、設置予定のソーラーパネルを設置する工法に関する情報を入力する（Ｓ８０２）。
【００５６】
そして、携帯端末１の画面に表示されているカーソルなどの指示手段や、文字・数字などを入力するキーボードや入力ボタンなどからなる屋根面積算出処理確定情報入力手段・削減電気代計算用補足情報入力手段・ソーラーパネル設置費用算出用補足情報入力手段１−９を介して、削減電気代計算用補足情報として、対象となっている住宅の概算電気代（例えば、１ヶ月の概算電気代）を入力する（Ｓ８０３）。
【００５７】
このようにして入力が完了したならば、図６に例示されている画面にあるように、例えば、携帯端末１の画面に表示されている確認ボタンをクリックする、等して、入力完了であるか否かを入力する（Ｓ８０４）。
【００５８】
全てを入力し終えていない場合には、前記のＳ８０１のステップに戻って入力を続行する。
【００５９】
入力完了の場合には、前記のようにして入力された削減電気代計算用補足情報としての、屋根面が向かっている方向に関する情報、対象となっている住宅の概算電気代、ソーラーパネル設置費用算出用補足情報としての、設置予定のソーラーパネルの製品タイプに関する情報、設置予定のソーラーパネルを設置する工法に関する情報が、携帯端末１の削減電気代計算用補足情報出力手段・ソーラーパネル設置費用算出用補足情報出力手段・工事費用・電気代削減額情報取得手段１−４からインターネット４を介してサーバ装置２へ送信される。
【００６０】
サーバ装置２の削減電気代計算手段・ソーラーパネル設置費用算出手段２−２は、前記のようにして取得した情報を利用し、削減電気代計算用データベース２−５、ソーラーパネル設置費用算出用データベース２−６に格納されている情報を参照して、削減電気代及び、ソーラーパネル設置費用を算出する。
【００６１】
例えば、ソーラーパネル設置費用算出用データベース２−６に格納されている、ソーラーパネルの製品タイプの価格表に関する情報を取り込んで（Ｓ８０６）、ソーラーパネル設置費用（工事費用）を算出する（Ｓ８０７）。
【００６２】
また、削減電気代計算用データベース２−５に格納されている、住宅の位置情報に対応する経度・緯度情報と、これに対応する当該経度・緯度の位置における各方角（東西南北）ごとの日照に関する情報、すなわち、日照量データを取り込んでＳ８０８）、屋根面ごとの発電量を計算し（Ｓ８０９）、この計算結果を参照して、電気代削減額（削減電気代）を計算する（Ｓ８１０）。
【００６３】
こうして計算されたソーラーパネル設置費用（工事費用）、電気代削減額（削減電気代）とは、インターネット４を介して携帯端末１に送信され（Ｓ８１１）、携帯端末１の削減電気代計算用補足情報出力手段・ソーラーパネル設置費用算出用補足情報出力手段・工事費用・電気代削減額情報取得手段１−４で取得されて、携帯端末１の画面に、例えば、図６図示のように表示される（Ｓ８１２）。
【００６４】
携帯端末１を操作している者は、表示されたソーラーパネル設置費用（工事費用）、電気代削減額（削減電気代）を参照し、再見積もりを行うかどうか判定し（Ｓ８１３）、携帯端末１の画面に表示されているカーソルなどの指示手段や、文字・数字などを入力するキーボードや入力ボタンなどからなる最終確認入力手段１−１０を介して、指示を入力する。
【００６５】
再見積もりを行う場合には、例えば、前記のＳ７１０のステップに戻って再見積もりが行われる。
【００６６】
一方、見積もりを終了する場合には、見積もりを保存するか否か判定し（Ｓ８１４）、見積もりを保存する場合には、携帯端末１の見積もりデータ出力手段１−５を介して、図６の画面情報に表示されているような見積もりデータを、インターネット４を介してサーバ装置２に送る（Ｓ８１５）。
【００６７】
サーバ装置２では取得した見積もりデータを見積もりデータベース２−７に保存する（Ｓ８１６）。
【００６８】
以上、添付図面を参照して本発明の好ましい実施形態を説明したが、本発明はかかる実施形態に限定されるものではなく、特許請求の範囲の記載から把握される技術的範囲において種々の形態に変更可能である。
【図面の簡単な説明】
【００６９】
【図１】本発明のソーラーパネル販売支援システムが利用されている状況を説明するシステムの概略構成図。
【図２】ソーラーパネル設置対象となっている住宅の位置情報を入力する携帯端末の画面の一例を表わす図。
【図３】携帯端末の画面に表示された航空写真屋根情報と、表示位置の修正入力を行なう際の携帯端末の画面の一例を表わす図。
【図４】面積を計算する屋根を指定し、屋根の勾配などに関する情報を入力する際の携帯端末の画面の一例を表わす図。
【図５】携帯端末の画面に表示された屋根面積計算結果の一例を表わす図。
【図６】携帯端末の画面に表示された電気代削減額計算結果の一例を表わす図。
【図７】本発明のソーラーパネル販売支援システムが実施されるフローチャートの一例。
【図８】図７に図示された工程以降の工程の一例のフローチャート。
【符号の説明】
【００７０】
１      携帯端末
１−１  住宅位置情報出力手段・屋根面航空写真情報取得手段・出力屋根面位置調整情報出力手段
１−２  面積計算屋根面指定情報出力手段・屋根面面積算出用補足情報出力手段
１−３  屋根面積情報取得手段・ソーラーパネル設置費用概算算出用補足情報出力手段
削減電気代計算用補足情報出力手段・ソーラーパネル設置費用算出用補足情報出力手段・１−４  工事費用・電気代削減額情報取得手段
１−５  見積もりデータ出力手段
１−６  住宅位置情報入力手段
１−７  面積計算屋根面指定情報入力手段・面積計算屋根面指定情報入力手段
１−８  屋根面面積算出用補足情報入力手段
１−９  屋根面積算出処理確定情報入力手段・削減電気代計算用補足情報入力手段・ソーラーパネル設置費用算出用補足情報入力手段
１−１０  最終確認入力手段
２      サーバ装置
２−１  日照屋根面積計算手段
２−２  削減電気代計算手段・ソーラーパネル設置費用算出手段
２−４  日照屋根面積計算データベース
２−５  削減電気代計算用データベース
２−６  ソーラーパネル設置費用算出用データベース
２−７  見積もりデータベース
２−８  面積計算屋根面指定情報取得手段・屋根面面積算出用補足情報取得手段
３      航空写真地図提供サイト
４      インターネット
【図１】
2010092223.tif 000003
【図２】
2010092223.tif 000004
【図３】
2010092223.tif 000005
【図４】
2010092223.tif 000006
【図５】
2010092223.tif 000007
【図６】
2010092223.tif 000008
【図７】
2010092223.tif 000009
【図８】
2010092223.tif 000010